(57)【要約】 【課題】橋脚に設置された際の外観を向上させることができる橋脚用排水管を提供する。【解決手段】橋脚２に予め取り付けられた橋脚用金具９０と互いに係合する排水管用金具８０が固定される裏面部５１と、この裏面部５１の両端部に断面略円弧状の正面部５２の両側を接続し、この正面部５２の両端に連続して形成され排水管用金具８０及び前記橋脚用金具９０を覆う延出部５３とを備える。正面部５２が断面円弧状に形成されているので、正面あるいは側方から見た場合に正面部５２に角部が見当たらず、従来の角部が目立つ断面矩形状の排水管に比べて外観が良好となる。裏面部５１に設けられた排水管用金具８０と橋脚２に設けられた橋脚用金具９０とは延出部５３で覆われているため、これらの金具が露出しないから、この点からも外観が良好となる。【選択図】図４
2007205126.tif 000002
【特許請求の範囲】
【請求項１】
橋脚に沿って取り付けられる橋脚用排水管であって、
前記橋脚に固定された橋脚用金具と互いに係合する排水管用金具が固定される裏面部と、この裏面部の両端部に両側が接続された断面略円弧状の正面部と、この正面部の両端に連続して形成され前記排水管用金具及び前記橋脚用金具を覆う延出部とを備えたことを特徴とする橋脚用排水管。
【請求項２】
請求項１に記載した橋脚用排水管において、
前記裏面部、前記正面部及び前記延出部はガラス繊維強化プラスチック又は硬質塩化ビニルから一体形成されていることを特徴とする橋脚用排水管。
【発明の詳細な説明】
【技術分野】
【０００１】
本発明は橋脚に沿って取り付けられる橋脚用排水管に関する。
【背景技術】
【０００２】
鉄道等の橋梁上面の雨水等を下方に排水するため、橋梁の裏側より下方に向かう方向に沿って橋脚用排水管が橋脚に設けられている。
この橋脚用排水管として、内部が中空とされた塩化ビニル製の円筒排水管から形成されているものが多く、この排水管を上下に複数直列配置して継ぎ合わせ、これらが橋脚に固定されている。この排水管の固定に際して、排水管の外周を係止する円弧状の係止部と橋脚にボルト止めするための取付片部とが一体に形成された取付金具が利用されている。
【０００３】
このような排水管は円筒形に形成されているため、通常、角柱状に形成される橋脚とのバランスが悪く、この橋脚全体の外観が損なわれる。
そのため、排水管の露出部を少なくして橋脚の外観を向上させるために、橋脚の橋脚用排水管を取り付ける箇所に凹みを形成し、この凹みの底部に橋脚用金具を固定し、橋脚用排水管の裏面に排水管用金具を固定し、この排水管用金具と橋脚用金具とを互いに係合して前記橋脚用排水管を前記橋脚に取り付け、橋脚用排水管が前記橋脚に取り付けられた状態で前記橋脚の正面から突出しない従来例がある（特許文献１）。
【０００４】
【特許文献１】特開２００２−２２０８１４(図２)
【発明の開示】
【発明が解決しようとする課題】
【０００５】
特許文献１で示される従来例では、橋脚用排水管は、断面矩形状であるため、その正面部に形成される角部が橋脚に対して目立ってしまい、外観の向上が十分に達成できない。そして、橋脚の橋脚用排水管を取り付ける箇所に凹みを形成しなければならないので、設置する場所が制限される。
従来例の技術を橋脚の凹みのない平坦な場所に適用すると、排水管が断面矩形であるため、それを取り付ける金具が排水管の側部側から露出することになり、排水管の取り付けた状態の外観が損なわれる。
【０００６】
本発明の目的は、橋脚に設置された際の外観を向上させることができる橋脚用排水管を提供することにある。
【課題を解決するための手段】
【０００７】
本発明の橋脚用排水管は、橋脚に沿って取り付けられる橋脚用排水管であって、前記橋脚に固定された橋脚用金具と互いに係合する排水管用金具が固定される裏面部と、この裏面部の両端部に両側が接続された断面略円弧状の正面部と、この正面部の両端に連続して形成され前記排水管用金具及び前記橋脚用金具を覆う延出部とを備えたことを特徴とする。
【０００８】
本発明では、正面部が断面円弧状に形成されているので、正面あるいは斜めから見た場合に正面部に角部を目視できないから外観が良好となる。そして、裏面部に設けられた排水管用金具と橋脚に設けられた橋脚用金具とは延出部で覆われているため、これらの金具が正面あるいは斜めから排水管を目視した場合に露出しないから、この点からも外観が良好となる。
【０００９】
ここで、本発明では、前記裏面部、前記正面部及び前記延出部はガラス繊維強化プラスチック又は硬質塩化ビニルにより一体形成されている構成が好ましい。
この構成の発明では、押出成形等の成形方法によって橋脚用排水管が容易に形成されることになる。しかも、ガラス繊維強化プラスチック又は硬質塩化ビニルから成形されることで、橋脚用排水管が軽量かつ大きな強度を得ることができる。
【発明を実施するための最良の形態】
【００１０】
以下、本発明の一実施形態を図面に基づいて説明する。
図１は、鉄道用橋梁１の正断面図であり、図２は、鉄道用橋梁１の側断面図である。
図１及び図２において、橋梁１は平面部１Ａとこの平面部１Ａの下部に設けられた複数の補強部１Ｂとを備えている。隣り合う補強部１Ｂの間には橋梁１を支持する橋脚２が設けられ、この橋脚２は基礎の上に立設されている。
平面部１Ａの上面には鉄道用レール３Ａが載置されたレール載置部３が設けられている。
橋脚２は略角柱状に形成されており、その側面は平面状に形成されている。
レール載置部３の近傍にはドレンボックス４が橋梁１に設けられており、このドレンボックス４には橋脚用排水管５及び接続用排水管６１〜６５からなる排水路が接続されている。つまり、橋梁１の上面に降った雨や雪が溶けた水は、橋梁１のドレンボックス４に集まり、ここから橋脚２の一方の壁面に沿って設けられた橋脚用排水管５及び接続管６１〜６５の内部を流下して橋脚２の下に設けられた溝７に流れる。
【００１１】
ドレンボックス４にはステンレス製取付金具６１１で橋梁１の裏面に取り付けられた第１の接続用排水管６１の一端部側が接続され、この第１の接続用排水管６１の他端部にはステンレス製取付金具６２１で橋脚２の側面に取り付けられた第２の接続用排水管６２が接続されている。
この第２の接続用排水管６２の他端部にはステンレス製取付金具６３１で橋梁１の補強部１Ｂの側面に取り付けられた第３の接続用排水管６３が接続され、この第３の接続用排水管６３の他端部にはステンレス製取付金具６４１で橋脚２の側面に取り付けられた第４の接続用排水管６４が接続されている。
この第４の接続用排水管６４の他端部には橋脚用排水管５が接続され、この橋脚用排水管５は上下２本が直列接続されている。下側に配置された橋脚用排水管５の他端部は第５の接続用排水管６５が接続され、この第５の接続用排水管６５の他端部が溝７に向けて開口されている。
【００１２】
図３及び図４には橋脚排水管５の詳細な構造が示されている。
図３は橋脚用排水管５の水平断面図、図４は橋脚用排水管５を橋脚２に取り付ける状態を示す分解斜視図である。
図３において、橋脚用排水管５は、橋脚２の壁面に対向配置される断面略直線状の裏面部５１と、この裏面部５１の両側縁部に両端部が接続された正面部５２と、この正面部５２の両端にそれぞれ連続して形成された延出部５３とを備え、これらの裏面部５１、正面部５２及び延出部５３はガラス繊維強化プラスチック（ＦＲＰ）から押出成形、その他の成形手段によって一体形成されている。裏面部５１、正面部５２及び延出部５３はそれぞれ厚み寸法が略等しい。ここで、正面部５２の断面形状は略円弧状であればよく、例えば、半円状でもよい。
裏面部５１と正面部５２との間に形成される空間は雨水を流通させる空間である。延出部５３は正面部５２に対して略直交している。
橋脚用排水管５は複数個（図１、２では２個）上下に連結されているが、橋脚用排水管５の両端には、内側に図示しない接続用ソケットが取り付けられており、このソケットの先端には漏水防止を目的としてゴムパッキン（図示せず）が設けられている。
【００１３】
図４に示される通り、裏面部５１には排水管用金具８０が所定箇所に複数個固定されている。この排水管用金具８０は、裏面部５１の裏面に接着剤あるいはボルト止め等の適宜な手段で固定される取付片部８１と、この取付片部８１と一体形成されるとともに裏面部５１から所定寸法離反して配置される係止片部８２とを有する。
橋脚２の排水管用金具８０と対向する位置には橋脚用金具９０が固定されている。
この橋脚用金具９０は、橋脚２に埋設されたアンカー９１（図３参照）と、このアンカー９１に係止される取付金具本体９２と、この取付金具本体９２をアンカー９１に取り付けるボルト９３とを備える。
アンカー９１は、橋脚２の壁面に打ち込むと底部が拡張してしっかりと橋脚２に食い込む構造とされる。
【００１４】
取付金具本体９２は、橋脚２へ取り付ける取付片部９２Ａと、この取付片部９２Ａと一体形成され橋脚２との間に所定のスペースが設けられ排水管用金具８０の係止片部８２が係止されるコ字状本体９２Ｂとを備えて形成される。
図３に示される通り、取付金具本体９１の幅寸法は裏面部５１の幅寸法よりも短い。
延出部５３は、その先端から正面部５２の裏面までの寸法がＤである。この寸法Ｄは排水管用金具８０及び橋脚用金具９０を覆うに十分な長さであるとともに橋脚用排水管５を橋脚２に設置した際に延出部５３の先端が橋脚２の壁面と干渉しない長さとされる。
【００１５】
第１から第５の接続用排水管６１〜６５の具体的な構造について説明する。
図１に示される通り、第１の接続用排水管６１はＦＲＰから直線上に延びた筒状に形成されており、その断面は橋梁１の底面と対向する平板状の裏面部と略円弧状の正面部とが一体に形成された略半円形である。第１の接続用排水管６１の一端は蓋で閉塞されており、裏面部の一部にはドレンボックス４との接続用筒部６１Ａが形成されている。
図５には第２の接続用排水管６２から第４の接続用排水管６４の構成がそれぞれ示されている。
図５（Ａ）には第２の接続用排水管６２が示されている。図５（Ａ）において、第２の接続用排水管６２は、その断面は橋梁１の底面と対向する平板状の裏面部と略円弧状の正面部とが一体に形成された略半円形であり、一端部が第１の接続用排水管６１と接続される水平部６２Ａと、この水平部６２Ａと接続された折曲部６２Ｂと、この折曲部６２Ｂと接続された垂直部６２Ｃとを備えている。これらの部材はＦＲＰから一体形成されている。曲線部６２Ｂは正面側の曲率より裏面側の曲率がやや大きい。
【００１６】
図５（Ｂ）には第３の接続用排水管６３が示されている。図５（Ｂ）において、第３の接続用排水管６３は、その断面は橋梁１の底面と対向する平板状の裏面部と略円弧状の正面部とが一体に形成された略半円形であり、一端部が第２の接続用排水管６２と接続される垂直部６３Ａと、この垂直部６３Ａと接続された第１の折曲部６３Ｂと、この第１の折曲部６３Ｂと接続された第１の水平部６３Ｃと、この第１の水平部６３Ｃと接続された第２の折曲部６３Ｄと、この第２の折曲部６３Ｄと接続された第２の水平部６３Ｅとを備えている。これらの部材はＦＲＰから一体形成されている。
第１の折曲部６３Ｂは垂直部６３Ａと第１の折曲部６３Ｂとの軸線同士を鉛直面内で略直交させるものであり、正面側の曲率より裏面側の曲率がやや大きい。
第２の折曲部６３Ｄは第１の折曲部６３Ｂと第２の折曲部６４Ｄとの軸線同士を水平面内で略直交させるものである。
【００１７】
図５（Ｃ）には第４の接続用排水管６４が示されている。図５（Ｃ）において、第４の接続用排水管６４は、その断面は裏面部と略円弧状の正面部とが一体に形成された略半円形であり、一端部が第３の接続用排水管６３と接続される第１の直線部６４Ａと、この第１の直線部６４Ａと接続された折曲部６４Ｂと、この折曲部６４Ｂと接続された第２の直線部６４Ｃとを備えている。これらの部材はＦＲＰから一体形成されている。曲線部６２Ｂは正面側の曲率より裏面側の曲率がやや大きい。
図１において、第５の接続用排水管６５は、その断面は裏面部と略円弧状の正面部とが一体に形成された略半円形であり、水平部６５Ａと垂直部６５Ｂとが折り曲げて形成される。
【００１８】
このような本実施形態によれば、以下のような効果がある。
（１）橋脚２に予め取り付けられた橋脚用金具９０と互いに係合する排水管用金具８０が固定される裏面部５１と、この裏面部５１の両端部に断面略円弧状の正面部５２の両側を接続し、この正面部５２の両端に連続して形成され排水管用金具８０及び前記橋脚用金具９０を覆う延出部５３とを備えて橋脚用排水管５を構成した。そのため、正面部５２が断面円弧状に形成されているので、正面あるいは側方から見た場合に正面部５２に角部が目視できず、従来の角部が目立つ断面矩形状の排水管に比べて外観が良好となる。しかも、裏面部５１に設けられた排水管用金具８０と橋脚２に設けられた橋脚用金具９０とは延出部５３で覆われているため、これらの金具が露出しないから、この点からも外観が良好となる。
【００１９】
（２）裏面部５１、正面部５２及び延出部５３は一体形成されている。そのため、押出成形等の適宜な手段により橋脚用排水管５が容易に形成されることになる。
（３）裏面部５１、正面部５２及び延出部５３はガラス繊維強化プラスチックから成形されるから、橋脚用排水管５を軽量かつ大きな強度とすることができる。
【００２０】
（４）橋脚用排水管５だけでなく接続用排水管６１〜６５もＦＲＰ製としたから、隣り合う排水管での線膨張率の相違がないから、温度変化によって管の接続部分が外れることがない。
（５）橋脚用排水管５だけでなく接続用排水管６１〜６５も円弧状断面を有する正面部を備えて構成したから、橋梁１や橋脚２に取り付けられる排水管が全体として統一のとれたデザインとされるから、外観が良好となる。
（６）接続用排水管６１〜６４の折曲部の曲率を裏面側に比べて正面側を小さくしたから、接続用排水管６１〜６４の角部の曲面を強調することになり、外観が向上する。
【００２１】
なお、本発明は前記実施形態に限定されるものではなく、本発明の目的を達成できる他の構成等を含み、以下に示すような変形なども本発明に含まれる。
例えば、前記実施形態では、橋脚用排水管５と橋脚２の取付場所及びその個数は限定されるものではなく、橋脚２の構造や大きさに応じて適宜設定されるものである。
また、前記実施形態では、鉄道用の橋脚２について説明したが、道路用、その他の用途で用いられる橋脚にも適用することができる。
【００２２】
そして、前記実施形態では、橋脚用排水管５をＦＲＰから形成したが、本発明では、橋脚用排水管５をＦＲＰ以外の合成樹脂、例えば、塩ビ（塩化ビニル）から形成してもよく、合成樹脂に代えて金属から形成してもよい。
また、裏面部５１、正面部５２及び延出部５３を一体形成するものに限定されるものではなく、これらの部材を別々に製造し、接着剤等で互いに固定する構成でもよい。
【００２３】
さらに、排水管用金具８０及び橋脚用金具９０も前記実施形態の構成に限定されるものではなく、例えば、橋脚用排水管５に橋脚用金具９０の構成の金具を採用し、橋脚２に排水管用金具８０の構成を採用するものでもよい。
【産業上の利用可能性】
【００２４】
本発明は鉄道用や道路用の橋脚に利用することができる。
【図面の簡単な説明】
【００２５】
【図１】本発明の一実施形態における橋脚用排水管が取り付けられた橋梁の正断面図である。
【図２】前記橋梁の側断面図である。
【図３】橋脚用排水管の水平断面図である。
【図４】橋脚用排水管を橋脚に取り付ける状態を示す分解斜視図である。
【図５】接続用排水管の概略構成図である。
【符号の説明】
【００２６】
１…橋梁
２…橋脚
５…橋脚排水管
５１…裏面部
５２…正面部
５３…延出部
８０…排水管用金具
９０…橋脚用金具
【図１】
2007205126.tif 000003
【図２】
2007205126.tif 000004
【図３】
2007205126.tif 000005
【図４】
2007205126.tif 000006
【図５】
2007205126.tif 000007